(57)【要約】【課題】  コンクリート製品の剥離防止で網目シートを使用する場合、配筋のかぶりを確保するスペーサーは型枠に、脚部でその網目を通して当接させている。網目シートは弾性で、敷設時に変位して網目が鉄筋の軸線に対し整列しない場合が多々ある。従来のスペーサーは鉄筋受部が固定配置なので、スペーサーをその軸線の周りに回動した状態で型枠面に設置すると、鉄筋受部と鉄筋の軸線が一致せず、鉄筋の支持に支障が生じる。網目が鉄筋に対し多少不整列となっても、安定して鉄筋を支持するスペーサーが望まれている。【解決手段】  本発明に係る網対応型スペーサーは、柱状の本体(1)、脚部(2)、鉄筋の弾発支持部(3)を有している。該脚部は該本体の一端面(11)から該本体の軸線(X1)に沿う方向に突出している。該弾発支持部は該本体の他端面(12)に該本体の該軸線と直交して設けられかつ該軸線を中心に回動可能となっている。【選択図】  図１
2014129652.tif 000002
【特許請求の範囲】
【請求項１】
柱状の本体(1)と、脚部(2)と、鉄筋(T)の弾発支持部(3)を有し、
該脚部(2)は該本体(1)の一端面(11)から該本体(1)の軸線(X1)に沿う方向に突出し、
該弾発支持部(3)は該本体(1)の他端面(12)に該本体(1)の該軸線(X1)と直交して設けられかつ該軸線(X1)を中心に定位置で回動可能となっている
ことを特徴とする網目シート対応型スペーサー。
【請求項２】
該弾発支持部(3)は金属板で形成され、該本体(1)に該軸線(X1)上で止軸(4)により支持された基部(31)と、該基部(31)から変位して開放端面(32)に続く湾曲凹部(33)を備えている請求項１に記載の網目シート対応型スペーサー。
【請求項３】
該基部(31)は該湾曲凹部(33)の湾曲方向に沿う湾曲面部(34)を備えている請求項２に記載の網目シート対応型スペーサー。
【請求項４】
該湾曲凹部(33)は該開放端面(32)で、該開放端面(32)の内寸(d)より大きい内寸(d’)で終端となる導入部(35)に続いている請求項２又は３に記載の網目シート対応型スペーサー。
【請求項５】
該湾曲凹部(33)は該基部(31)の該止軸(4)を挟んだ両側に設けられている請求項２、３又は４に記載の網対応型スペーサー。
【請求項６】
該止軸(4)は軸部(41)と該弾発支持部(3)の抑止部(42)を包含し、該軸部(41)は該本体(1)内に位置し、該抑止部(42)は該軸部(41)が該本体(1)の該他端面(12)から突き出た露出部(43)にあって該軸部(41)より大径となっている請求項２、３、４又は５に記載の網目シート対応型スペーサー。
【請求項７】
該軸部(41)は螺軸(44)で、該抑止部(42)は該螺軸(44)に螺合している請求項２、３、４、５又は６に記載の網目シート対応型スペーサー。
【請求項８】
該止軸(4)には該基部(31)と該本体(1)の該一端面(11)間に座金(45)が介装されている請求項２から７の一つの項に記載の網目シート対応型スペーサー。
【発明の詳細な説明】
【技術分野】
【０００１】
本発明は網目シート対応型スペーサーに係り、柱状本体の一端に鉄筋受部、他端に股状の脚部をそれぞれ備え、コンクリートの剥離防止のため型枠に添設される網目シートの網目に該脚部を通して型枠に設置する形式のものである。網目シートは弾性のため型枠面に対し決まった位置を取りにくく、それに伴って網目の位置も変わり易い。スペーサーは股状の脚部を網目に通して型枠にあてがうので、網目の位置で型枠に対する自身の位相も変わる。このようにスペーサー自身が位相を変えることがあってもが、鉄筋受部の向きを変えることによって鉄筋の支持に支障をなくすようにしたものである。
【背景技術】
【０００２】
本体が柱体状でその軸線上の一端に平坦な鉄筋支持面を、また他端に型枠当接面を、それぞれ該軸線と直交して備え、該鉄筋支持面に鉄筋の軸線の展開角を規制する複数の突起を設け、該型枠当接面は、該軸線との交点を中心に放射状に位置してコンクリート製品の表面に添装される剥落防止用の網目シートの各別の網目に跨挿可能の脚部の端面としたスペーサーは、本件出願人が先に出願した特開２０１２−２１９４４７号公報（特許文献１）に開示されている。
【先行技術文献】
【特許文献】
【０００３】
【特許文献１】特開２０１２−２１９４４７号公報
【発明の概要】
【発明が解決しようとする課題】
【０００４】
特開２０１２−２１９４４７号公報に示されたスペーサーの鉄筋支持面(2)と型枠当接面(3)の相対位置は不変となっている。網は剛性ではないので型枠面に添設すると位置ずれを起こすことがあり、それに伴ってその目も鉄筋の方向に整列しない場合がある。この状態でスペーサーの脚部を網の目に通すと、各スペーサーが自身の軸線の周りに回動することになる。スペーサーに鉄筋の支持溝がある場合、この支持溝の軸線が鉄筋の軸線と一致しなくなる。そのため、この発明では、鉄筋支持面(2)を平坦にし、その周囲に複数の突起(4)を設け、この支持面(2)に載せた鉄筋の脱落を突起(4)で防ぐようにしている。この場合、鉄筋は平坦な鉄筋支持面(2)に載っているだけなので、鉄筋を紐又はワイヤ等でスペーサーに結び付けないと振動により突起(4)間でずれ動き、安定した支持ができない。
【０００５】
本発明の目的は、網目シートがずれて網目が鉄筋に対し不整列となったためにスペーサーの位相が多少ずれても、安定した鉄筋の支持をなせる網目シート対応型スペーサーを提供することにある。
【課題を解決するための手段】
【０００６】
（請求項１）本発明に係る網対応型スペーサーは、柱状の本体と、脚部と、鉄筋の弾発支持部を有している。該脚部は該本体の一端面から該本体の軸線に沿う方向に突出している。そして、該弾発支持部は該本体の他端面に該本体の該軸線と直交して設けられかつ該軸線を中心に定位置で回動可能となっている。
【０００７】
コンクリート製品の成型に際し、型枠の成型面に剥離防止用の網目シートが添設される。床版のように水平に使用されるものの場合はその下面を網目シートで覆えばよいので、網目シートは型枠の底板上に展設される。立設使用される構造物の場合、型枠の内壁面に対する網目シートの添設は、型枠上端からの垂下、接着剤による貼り付け、ピン等の取付具による取付け等で行われる。
【０００８】
スペーサーは各脚部を網目シートの各別の網目に通して型枠面に当接させる。底板上ではスペーサーを単に置くだけでよく、鉄筋は各スペーサーの弾発支持部に支持される。型枠面が立面の場合は、スペーサーを鉄筋に取付けた状態で、各スペーサーの各脚部を各網目に通して型枠面に当接させればよい。この網目シートは、３本のアラミド線材を交点で互いに６０°を以って一体化し、正三角形の網目が二次元方向に連続する構成のものが一般的に使われる。
【０００９】
製品の表面層に埋設される鉄筋は、コンクリートのかぶり寸法の関係で、型枠面との間に一定の間隔を保って型枠面に平行に配置される。これに対し、剥離防止用の網目シートは可撓性があるので、取扱中に変形してその網目配列が所定通りになるとは限らない。殊に性格の雑な作業者の場合、網目配列を鉄筋に沿って整列させることはほとんど期待できない。スペーサーは複数の脚部を各別の網目に通して型枠に当接させないと鉄筋の安定した支持ができないので、網目の配列に制約され、型枠当接面上での方向性が一定しない。
【００１０】
本発明のスペーサーによれば、本体は柱状で、その一端面から該本体の軸線に沿う方向に脚部が突出し、他端面に鉄筋の弾発支持部が該本体の該軸線と直交して設けられ、この弾発支持部が該軸線を中心に定位置で回動可能となっているので、所定通りの配置でない剥離防止用の網目シートの網目にスペーサーの脚部を通すため、スペーサーを自身の軸線の周りに多少回転した状態で型枠面に当接させても、弾発支持部を本体に対し回動することでその軸線を鉄筋と整合させることができ、このため鉄筋を安定して支持でき、必要なかぶり寸法も確保できる。
【００１１】
（請求項２）該弾発支持部は金属板で形成され、該本体に該軸線上で止軸により支持された基部と、該基部から分かれて開放端面に続く湾曲凹部を備えていてもよい。
こうすると、弾発支持部の形成が容易で、鉄筋の支持に十分な弾発力を弾発支持部に付与することができ、本体に対する取付けも基部でなすのでバランスが良好となり、鉄筋を安定して支持できる。
【００１２】
（請求項３）該基部は該湾曲凹部の湾曲方向に沿う湾曲面部を備えていてもよい。
こうすると、該基部が該本体の他端面上で回転する際に基部の端縁が他端面と干渉することがなく、円滑な回転を果たせる。
【００１３】
（請求項４）該湾曲凹部は該開放端面で、該開放端面の内寸より大きい内寸で終端となる導入部に続いていてもよい。
こうすると、鉄筋を導入部の大きい内寸部分に入れて開放端面方向へ押し込めば、鉄筋が湾曲凹部の開放端面を押し開いて湾曲凹部に嵌まり込むので、鉄筋とスペーサーの一体化を容易に行える。
【００１４】
（請求項５）該湾曲凹部は該基部の該止軸を挟んだ両側に設けられていてもよい。
こうすると、鉄筋は両側の湾曲凹部と弾発係合するので、鉄筋とスペーサーの一層安定した一体化を行える。
【００１５】
（請求項６）該止軸は軸部と該弾発支持部の抑止部を包含し、該軸部は該本体内に位置し、該抑止部は該軸部が該本体の該他端面から突き出た部分にあって該軸部より大径となっていてもよい。
こうすると、該弾発支持部は該止軸により該本体の該他端面に回転自在に取り付けられ、該基部は回転しても、また鉄筋によりこじられる力を受けても、該抑止部により該軸部から抜け出ることがなく、安定して鉄筋を支持する。
【００１６】
（請求項７）該軸部は螺軸で、該抑止部は該螺軸に螺合していてもよい。
こうすると、該抑止部を該螺軸から外すことにより該弾発支持部を該本体から取り外せ、鉄筋の太さが変更になった場合、その鉄筋に適合した湾曲凹部を備えた該弾発支持部を取り付けて対応させることができる。
【００１７】
（請求項８）該止軸には該基部と該本体の該一端面間に座金が介装されていてもよい。
こうすると、該基部が該一端面と直接接触しないので、両者の相対移動時に両者間に摩擦が生じることがなく、弾性支持部の回動がし易くなる。
【発明の効果】
【００１８】
（請求項１）本発明の網対応型スペーサーによれば、所定通りの配置でない剥離防止用の網目シートの網目にスペーサーの脚部を通すため、スペーサーを自身の軸線の周りに多少回転した状態で型枠面に当接させても、弾発支持部を本体に対し回動することでその軸線を鉄筋と整合させることができ、このため鉄筋を安定して支持でき、必要なかぶり寸法も確保できる。
【００１９】
請求項２によれば、弾発支持部の形成が容易で、鉄筋の支持に十分な弾発力を弾発支持部に付与することができ、本体に対する取付けも基部でなすのでバランスが良好となり、鉄筋を安定して支持できる。
【００２０】
請求項３によれば、該基部が該本体の他端面上で回転する際に基部の端縁が他端面と干渉することがなく、円滑な回転を果たせる。
【００２１】
請求項４によれば、鉄筋を導入部の大きい内寸部分に入れて開放端面方向へ押し込めば、鉄筋が湾曲凹部の開放端面を押し開いて湾曲凹部に嵌まり込むので、鉄筋とスペーサーの一体化を容易に行える。
【００２２】
請求項５によれば、鉄筋は両側の湾曲凹部と弾発係合するので、鉄筋とスペーサーの一層安定した一体化を行える。
【００２３】
請求項６によれば、該弾発支持部は該止軸により該本体の該他端面に回転自在に取り付けられ、該基部は回転しても、また鉄筋によりこじられる力を受けても、該頭部により該止軸から抜け出ることがなく、安定して鉄筋を支持する。
【００２４】
請求項７によれば、該抑止部を該螺軸から外すことにより該弾発支持部を該本体から取り外せ、鉄筋の太さが変更になった場合、その鉄筋に適合した湾曲凹部を取り付けて対応させることができる。
【００２５】
請求項８によれば、該基部が該一端面と直接接触しないので、両者の相対移動時に両者間に摩擦が生じることがなく、弾性支持部の回動がし易くなる。
【図面の簡単な説明】
【００２６】
【図１】本発明にかかる網対応型スペーサーの具体例を示す正面図である。
【図２】平面図である。
【図３】底面図である。
【図４】背面図で、弾性支持部３は板厚を省略し、かつ正面図に対し軸線Ｘ１の周りに少し回動した状態で示してある。
【図５】使用状態の斜視図である。
【図６】網目シートの部分拡大図である。
【発明を実施するための形態】
【００２７】
本発明の実施例を、図面を参照して説明する。なお、以下の説明で同一符号は同一もしくは相応部分を示す。
【００２８】
（請求項１）網目シート対応型スペーサーは柱状の本体１と、脚部２と、鉄筋Ｔの弾発支持部３を有する。この脚部２は本体１の一端面１１から本体１の軸線Ｘ１に沿う方向に突出している。弾発支持部３は本体１の他端面１２に本体１の軸線Ｘ１と直交して設けられかつ軸線Ｘ１を中心に定位置で回動可能となっている。
【００２９】
本体１は種々の形状、例えば円柱、楕円柱、正又は非正の三角柱、四角柱、五角柱、…を採用できるが、図示の例の正三角柱が望ましい形状である。これは、図５に示すように、コンクリートの剥離防止に使われる網目シートＳが、３本のアラミド線材Ｄ１、Ｄ２、Ｄ３を交点Ｐで互いに６０°を以って一体化し、正三角形の網目Ｅが二次元方向に連続する構成のものが一般的に使われるからである。脚部２を正三角形の各頂部から突出させた３個とすると、各脚部２を交点Ｐ周りの各網目Ｅに通し易く、かつスペーサーが安定して型枠面Ｗに当接する。このスペーサーで、弾発支持部３に支持された鉄筋Ｔの下縁と、脚部２間の垂直寸法Ｌが、即ちコンクリートのかぶり寸法となっている。
【００３０】
このスペーサーによれば、剥離防止用の網目シートＳが位置ずれして網目Ｅの配列が鉄筋Ｔと平行になっていない場合、本体１を自身の軸線Ｘ１の周りに多少回転した状態でしか各脚部２を各網目Ｅに通せないが、この場合でも、弾発支持部３を本体１に対し回動してその軸線Ｘ３を鉄筋Ｔの軸線Ｔ３と整合させることにより、鉄筋Ｔを安定して支持でき、必要なかぶり寸法も確保できる。
【００３１】
（請求項２）弾発支持部３は金属板で形成され、本体１にその軸線Ｘ１上で止軸４により支持された基部３１と、この基部３１から分かれて開放端面３２に続く湾曲凹部３３を備えている。
この場合、弾発支持部３の形成が容易で、鉄筋Ｔの支持に十分な弾発力を弾発支持部３に付与することができ、本体１に対する取付けも基部３１でなすのでバランスが良好となり、鉄筋Ｔを安定して支持できる。
【００３２】
（請求項３）基部３１は湾曲凹部３３の湾曲方向に沿う湾曲面部３４を備えている。
この場合、基部３１が本体１の他端面１２上で回転する際に基部３１の端縁が他端面１２と干渉することがなく、円滑な回転を果たせる。
【００３３】
（請求項４）湾曲凹部３３は開放端面３２で、この開放端面３２の内寸ｄより大きい内寸ｄ’で終端となる導入部３５に続いている。
この場合、鉄筋Ｔを導入部３５の大きい内寸ｄ’部分に入れて開放端面３２方向へ押し込めば、鉄筋Ｔが湾曲凹部３３の開放端面３２を押し開いて湾曲凹部３３に嵌まり込むので、鉄筋Ｔとスペーサーの一体化を容易に行える。
【００３４】
（請求項５）湾曲凹部３３は基部３１の止軸４を挟んだ両側に設けられている。
この場合、鉄筋Ｔは両側の湾曲凹部３３と弾発係合するので、鉄筋Ｔとスペーサーの一層安定した一体化を行える。
【００３５】
（請求項６）止軸４は軸部４１と弾発支持部３の抑止部４２を包含し、軸部４１は本体１内に位置し、抑止部４２は軸部４１が本体１の他端面１２から突き出た露出部４３にあって軸部４１より大径となっている。
この場合、弾発支持部３は止軸４により本体１の他端面１２に回転自在に取り付けられ、基部３１は回転しても、また鉄筋Ｔによりこじられる力を受けても、抑止部４２により軸部４１から抜け出ることがなく、安定して鉄筋Ｔを支持する。
【００３６】
（請求項７）軸部４１は螺軸４４で、抑止部４２はこの螺軸４１に螺合している。
この場合、抑止部４２を螺軸４１から外すことにより弾発支持部３を本体１から取り外せ、鉄筋Ｔの太さが変更になった場合、その鉄筋Ｔに適合した湾曲凹部３３を備えた弾発支持部３を取り付けて対応させることができる。
【００３７】
（請求項８）止軸４には基部３１と本体１の一端面１１間に座金４５が介装されている。
この場合、基部３１が一端面１１と直接接触しないので、両者の相対移動時に両者間に摩擦が生じることがなく、弾性支持部３の回動がし易くなる。
【００３８】
なお、図面で、４６はリブである。
【符号の説明】
【００３９】
１    本体
２    脚部
Ｔ    鉄筋
３    弾発支持部
１１  一端面
Ｘ１  軸線
１２  他端面
Ｓ    網目シート
Ｄ１、Ｄ２、Ｄ３  アラミド線材
Ｐ    交点
Ｅ    網目
Ｗ    型枠面
Ｌ    垂直寸法
Ｘ３  軸線
Ｔ３  軸線
４    軸
３１  基部
３２  開放端面
３３  湾曲凹部
３４  湾曲面部
ｄ、ｄ’  内寸
３５  導入部
４１  頭部
４２  抑止部
４３  露出部
４４  螺軸
４５  座金
４６  リブ
【図１】
2014129652.tif 000003
【図２】
2014129652.tif 000004
【図３】
2014129652.tif 000005
【図４】
2014129652.tif 000006
【図５】
2014129652.tif 000007
【図６】
2014129652.tif 000008